(57)【要約】【課題】  耐衝撃性や耐震動性を向上させたキャリングケース、及び、梱包部材を削減した梱包物及び梱包方法を提供する。【解決手段】  ヒンジ連結により開閉自在な本体ケース１０と蓋ケース３０とで構成される。本体ケース１０は、プロジェクタ１５０を収納する第１の収納部１１とケーブル類１１０を収納する第２の収納部１２とを備え、蓋ケース３０は、付属品１２０を収納する第３の収納部３１，３２と取扱説明書１３０を収納する第４の収納部３３とを備えている。ファスナー５０を閉塞した場合、第１と第４の収納部が対向し、第２と第３の収納部が対向する位置に配設されている。各収納部に収納物を収納し、ファスナー５０を閉塞した場合に、各収納部、本体ケース１０及び蓋ケース３０は、プロジェクタ１５０と取扱説明書１３０、ケーブル類１１０と付属品１２０、プロジェクタ１５０とケーブル類１１０が相互に押圧するように形成される。【選択図】      図２
2006055552.tif 000002
【特許請求の範囲】
【請求項１】
電子機器を保護する緩衝部材を内設する本体ケース及び蓋ケースとで構成されるキャリングケースであって、
前記本体ケースと前記蓋ケースは、ヒンジ連結により開閉自在に構成され、
前記本体ケースは、電子機器を収納する第１の収納部とケーブルを収納する第２の収納部とを備え、
前記蓋ケースは、付属品を収納する第３の収納部と取扱説明書を収納する第４の収納部とを備え、
前記本体ケース及び前記蓋ケースを閉塞した場合、前記第１の収納部と前記第４の収納部が対向する位置となり、前記第２の収納部と前記第３の収納部が対向する位置となるように配設され、
前記電子機器、前記ケーブル、前記付属品及び前記取扱説明書を前記各収納部に収納し、前記本体ケース及び前記蓋ケースを閉塞した場合、前記電子機器と前記取扱説明書、前記ケーブルと前記付属品、前記電子機器と前記ケーブルが相互に押圧するように前記各収納部、前記本体ケース及び前記蓋ケースが形成されることを特徴とするキャリングケース。
【請求項２】
請求項１に記載のキャリングケースであって、
前記本体ケース及び前記蓋ケースの開閉する縁部において、当該縁部の一部の縁部は所定の基準面から前記縁部までの距離が他の前記縁部と異なり、前記本体ケースに前記電子機器を収納した場合、前記縁部の一部は前記電子機器の少なくとも一部を露出するように形成されることを特徴とするキャリングケース。
【請求項３】
請求項１または請求項２に記載のキャリングケースであって、
前記第１の収納部には、少なくとも前記電子機器を収納するための情報が表示されることを特徴とするキャリングケース。
【請求項４】
被梱包物を梱包する梱包物であって、
請求項１に記載のキャリングケースが備える各収納部に被梱包物である電子機器、ケーブル、付属品及び取扱説明書をそれぞれ収納した前記キャリングケースと専用梱包箱とで構成されることを特徴とする梱包物。
【請求項５】
被梱包物の梱包方法であって、
請求項１に記載のキャリングケースが備える各収納部に被梱包物である電子機器、ケーブル、付属品及び取扱説明書をそれぞれ収納し、前記キャリングケース本体を閉塞した後に、該キャリングケースを専用梱包箱に収納して該専用梱包箱の蓋を閉じることを特徴とする梱包方法。
【発明の詳細な説明】
【技術分野】
【０００１】
本発明は、電子機器を収納するキャリングケース、当該キャリングケースを用いた梱包物、当該梱包物を用いた梱包方法に関する。
【背景技術】
【０００２】
従来のキャリングケースは、緩衝部材を内設し、電子機器を収納する空間を備えた収納部とケーブルや取扱説明書などの付属品を収納する空間を備えた収納部との２つの収納部で構成されている。持ち運ぶときには、それぞれの収納部に電子機器及び付属品を収納して、それぞれの収納部に設置されたファスナーが閉塞される。
【０００３】
図６は、従来のキャリングケースを説明する図である。図６に示すように、従来のキャリングケース３００は、電子機器を収納する電子機器用収納部３１０と、付属品を収納する付属品用収納部３２０との２つの収納部で構成される。そして、それぞれの収納部３１０，３２０には、ファスナー３１１，３２１が設置されている。また、電子機器用収納部３１０には、携帯するための持手３１２及び肩掛けベルト３１３が設置されている。
【０００４】
ユーザーは、電子機器及び付属品を携帯する場合、電子機器及び付属品をそれぞれの収納部３１０，３２０に収納し、それぞれのファスナー３１１，３２１を閉塞し、持手３１２または肩掛けベルト３１３を利用して持ち運ぶ。
【０００５】
図７は、従来の梱包方法を説明する図である。従来の電子機器の梱包方法では、公知の特許文献１、特許文献２に示されると同様であり、図７に示すように、梱包箱４００の底面に下当て板４１０を配置する。その後、この下当て板４１０の上面であって４箇所のコーナー部にそれぞれ下部梱包緩衝部材４２０を配置する。この下部梱包緩衝部材４２０は凹部を持ち、配置する場合はその凹部が梱包箱４００の中心に向くように配置する。その後、この４個の下部梱包緩衝部材４２０の凹部に予め被梱包物である電子機器５００を収納した段ボール製の収納箱４３０を配置し、その上面に中当て板４４０を配置する。その後、中当て板４４０の上面に、付属品であるケーブル、リモコン、取扱説明書などと併せて付属されるキャリングケース３００を折りたたみ収納した段ボール製の収納箱４５０を配置し、その上面に上当て板４６０を配置する。その後、梱包箱４００の蓋を閉じる。この梱包方法により梱包物４８０が完成する。
【０００６】
このように、従来の梱包物においては、電子機器５００を収納した段ボール製の収納箱４３０と、キャリングケース３００を含めた付属品を収納した段ボール製の収納箱４５０と、その下面側の下部緩衝部材４２０との緩衝作用により梱包物の落下や振動に対する耐衝撃性や耐振動性が確保され梱包物が安全に輸送される。
【０００７】
【特許文献１】特開２０００−２５５６４０号公報
【特許文献２】特開２００３−２９２０４８号公報
【発明の開示】
【発明が解決しようとする課題】
【０００８】
しかしながら、キャリングケースを机などにぶつけたり、落下した場合などの強い衝撃に対しては、信頼性を確保することは難しいという課題がある。また、車のトランクや、電車の棚などに置いて移動する場合には、車や電車の振動に対して信頼性を確保することは難しいという課題がある。
【０００９】
また、上述した梱包方法及び梱包物においては、耐衝撃性や耐振動性を確保するために、発砲樹脂材料やパルプモールド材料や段ボール材料等からなる緩衝部材として作用する収納箱や当て板や緩衝部材などの各種梱包部材を使用する。そのため、各種梱包部材を組込むために梱包作業性の効率化を図れないことや、各種梱包部材の製造及び梱包作業による梱包コストの削減が図れない等の課題がある。また、各種梱包部材は、製品の輸送のためだけに必要なものであり、被梱包物を取出した後は資源としてリサイクルされる。
【００１０】
本発明は、上記課題に鑑みてなされたものであり、耐衝撃性や耐震動性を向上させたキャリングケース、及び、梱包部材を削減した梱包物及び梱包方法を提供することを目的とする。
【課題を解決するための手段】
【００１１】
上述した目的を達成するために、本発明は、電子機器を保護する緩衝部材を内設する本体ケース及び蓋ケースとで構成されるキャリングケースであって、本体ケースと蓋ケースは、ヒンジ連結により開閉自在に構成され、本体ケースは、電子機器を収納する第１の収納部とケーブルを収納する第２の収納部とを備え、蓋ケースは、付属品を収納する第３の収納部と取扱説明書を収納する第４の収納部とを備え、本体ケース及び蓋ケースを閉塞した場合、第１の収納部と第４の収納部が対向する位置となり、第２の収納部と第３の収納部が対向する位置となるように配設され、電子機器、ケーブル、付属品及び取扱説明書を各収納部に収納し、本体ケース及び蓋ケースを閉塞した場合、電子機器と取扱説明書、ケーブルと付属品、電子機器とケーブルが相互に押圧するように各収納部、本体ケース及び蓋ケースが形成されることを特徴とする。
【００１２】
このようなキャリングケースによれば、電子機器、ケーブル、付属品及び取扱説明書を各収納部に収納し、本体ケース及び蓋ケースを閉塞した場合に、各収納部、本体ケース及び蓋ケースは、電子機器と取扱説明書、ケーブルと付属品、電子機器とケーブルが相互に押圧するように形成されている。そのため、電子機器、ケーブル、付属品及び取扱説明書のガタツキがなくなり、ケーブル、取扱説明書及びキャリングケース本体とが緩衝部材の作用を行うことができる。よって、キャリングケースの落下やぶつかり及び振動に対する衝撃を緩和することができ、耐衝撃性及び耐震動性を向上することができる。
【００１３】
また、本発明の好ましい態様によれば、上記キャリングケースであって、本体ケース及び蓋ケースの開閉する縁部において、縁部の一部の部位は所定の基準面から縁部までの距離が他の縁部と異なり、本体ケースに電子機器を収納した場合、縁部の一部の部位は電子機器の少なくとも一部を露出するように形成されることを特徴とする。
【００１４】
このようなキャリングケースによれば、基準面から縁部までの距離が一部の縁部において他の縁部と異なっており、本体ケースに電子機器を収納した場合に、その一部の縁部において、電子機器の少なくとも一部を露出するように形成される。よって、ユーザーは、露出するように形成した縁部から手を入れて電子機器を把持できるため、容易に電子機器を取出すことができる。
【００１５】
また、本発明の好ましい態様によれば、上記キャリングケースであって、第１の収納部には、少なくとも電子機器を収納するための情報が表示されることを特徴とする。
【００１６】
このようなキャリングケースによれば、ユーザーは、第１の収納部に表示された電子機器を収納するための情報を確認して、電子機器を適正に収納することができる。よって、適正な配置関係が確保できるため、電子機器に対する耐衝撃性を向上することができる。
【００１７】
上述した目的を達成するために、本発明は、被梱包物を梱包する梱包物であって、上記キャリングケースが備える各収納部に被梱包物である電子機器、ケーブル、付属品及び取扱説明書をそれぞれ収納したキャリングケースと専用梱包箱とで構成されることを特徴とする。
【００１８】
このような梱包物によれば、緩衝部材として従来必要であった段ボール材料等からなる収納箱、及び、発砲樹脂材料やパルプモールド材料や段ボール材料等からなる緩衝作用を持つ成形された梱包部材を用いる必要がなくなる。よって、梱包物がコンパクトになり、梱包物の輸送コストを削減することができる。そして、車など輸送手段に対する燃料などのエネルギー削減の効果もある。
【００１９】
上述した目的を達成するために、本発明は、被梱包物の梱包方法あって、上記キャリングケースが備える各収納部に被梱包物である電子機器、ケーブル、付属品及び取扱説明書をそれぞれ収納し、キャリングケース本体を閉塞した後に、キャリングケースを専用梱包箱に収納して専用梱包箱の蓋を閉じることを特徴とする。
【００２０】
このような梱包方法によれば、緩衝部材として従来必要であった段ボール材料からなる収納箱、及び、発砲樹脂材料やパルプモールド材料や段ボール材料からなる成形された緩衝作用を持つ梱包部材を組み込む必要がなくなる。よって、梱包部材の大幅な削減が可能となり、梱包作業性の向上と梱包コストの削減が可能となる。
【発明を実施するための最良の形態】
【００２１】
以下、本発明の実施形態を図面に基づいて説明する。
【００２２】
図１は、本発明の実施形態に係るキャリングケースの概略斜視図である。図２は、キャリングケースを開いた内面側の概略斜視図である。図３は、キャリングケースの収納部に収納物を収納した図である。
なお、本実施形態において、「上部」、「下部」等の位置若しくは方向を示す用語は、図１に示す状態を基準として用いることとする。
【００２３】
キャリングケース１００は、図１に示すように、略直方体の形状を有し本体ケース１０及び蓋ケース３０から構成される。本体ケース１０及び蓋ケース３０は、相互にヒンジ連結されて開閉自在となっており、また、ポリエチレンフォームなどの緩衝部材が内設されている。
【００２４】
本体ケース１０は、図２に示すように、平面形状が略長方形となる本体面１５と、この本体面１５の長手方向両側に連設された１対の側壁１６，１７と、本体面１５の短寸法方向両側に連設された底壁１８及び上壁１９と、本体面１５及び各壁１６〜１９によって囲まれる内側領域内に配置される仕切部材１３とにより構成されている。底壁１８は、補強板が内設され、外面側には、ゴム足９０が２箇所固着されている。上壁１９も補強板が内設されている。
【００２５】
本体ケース１０は、電子機器としてのプロジェクタ１５０を収納するための第１の収納部１１を有し、第１の収納部１１は、本体面１５、側壁１７、上壁１９、仕切部材１３及び底壁１８で囲まれる内側領域で構成されている。また、プロジェクタ１５０と電源を結ぶ電源ケーブル、プロジェクタ１５０とＰＣ（パーソナルコンピュータ）を接続するコンピュータケーブル、その他オーディオアダプタ、ＵＳＢマウスケーブルなどのケーブル類１１０を収納する第２の収納部１２を有する。第２の収納部１２は、本体面１５、側壁１６、上壁１９、仕切部材１３及び底壁１８で囲まれる内側領域で構成されている。
【００２６】
第１の収納部１１の本体面１５の表面には、収納指示表示６０が、白色のシルク印刷により表示されている。収納指示表示６０は、プロジェクタ１５０を収納するための情報として、プロジェクタ１５０を構成する投写レンズの方向を表示している。ユーザーは、この収納指示表示６０を確認して、その指示に従いプロジェクタ１５０を第１の収納部１１に適正に収納することになる。
【００２７】
仕切部材１３は、図２に示すように、底壁１８側の一端に面ファスナー１３Ａを備え、上壁１９側の他端に面ファスナー１３Ｂを備えて構成されている。仕切部材１３は、底壁１８に縫合され備えた面ファスナー１８Ａと、面ファスナー１３Ａとが係合し、上壁１９に縫合され備えた面ファスナー１９Ａと面ファスナー１３Ｂとが係合することにより固定されている。仕切部材１３は、底壁１８及び上壁１９の長手方向に沿って面ファスナー１８Ａ，１９Ａの係合可能な範囲内で仕切位置を任意に変更することができる。よって、電子機器のサイズに応じて遊び（ガタツキ）のない収納領域を形成可能となっている。
【００２８】
蓋ケース３０は、ヒンジ部５５を介して本体ケース１０の底壁１８側に連設されている。そして、蓋ケース３０は、平面形状が略長方形となる本体ケース１０の本体面１５に対応する蓋面３６と、この蓋面３６の長手方向両側に連設され本体ケース１０の側壁１６，１７に対応する蓋側壁３７，３８と、蓋面３６の短寸法方向上側に連設され本体ケース１０の上壁１９に対応する蓋上壁３９とにより構成されている。
【００２９】
蓋ケース３０は、リモコンや無線ＬＡＮカードなどの付属品１２０を収納する布製の第３の収納部３１，３２を有し、第３の収納部３１，３２は、それぞれの収納空間を確保して、蓋面３６に収納部３１が縫合され、収納部３１の上部に収納部３２を積層して縫合して構成されている。取扱説明書１３０を収納する布製の第４の収納部３３が、収納空間を確保して蓋面３６に縫合され構成されている。本体ケース１０及び蓋ケース３０を閉塞した場合、第３の収納部３１，３２と第２の収納部１２、第４の収納部３３と第１の収納部１１とがそれぞれ対向した位置関係を成すように配設されている。
【００３０】
第３の収納部３１，３２にそれぞれ付属品１２０を収納した場合に、収納部３１，３２を閉じ、合わせて付属品１２０のガタツキをなくすために、布製帯状の固定ベルト３４が一端を蓋面３６に縫合され、他端に面ファスナー３４Ａを縫合された自由端として設置されている。この面ファスナー３４Ａに対応した第３の収納部３２の部分には面ファスナー３１Ａが縫合されて、面ファスナー３４Ａと係合可能になっている。同様に、第４の収納部３３に取扱説明書１３０を収納した場合に、収納部３３を閉じ、合わせて取扱説明書１３０のガタツキをなくすために、布製帯状の固定ベルト３５が一端を蓋面３６に縫合され、他端に面ファスナー３５Ａを縫合された自由端として設置されている。この面ファスナー３５Ａに対応した第４の収納部３３の部分には面ファスナー３３Ａが縫合されて、面ファスナー３５Ａと係合可能になっている。
【００３１】
本体ケース１０のヒンジ部５５を除く側壁１６，１７及び上壁１９の縁部と、これらの縁部に対向する蓋ケース３０の蓋側壁３７，３８及び蓋上壁３９の縁部には、二方向から開閉可能となるファスナー５０が設けられている。このファスナー５０を開閉することによって蓋ケース３０が本体ケース１０を全体的に開放及び閉塞するようになっている。
【００３２】
ファスナー５０の設けられる本体ケース１０の側壁１６、側壁１７及び上壁１９の縁部は、本体面１５を基準面として縁部の高さを比較した場合、開閉する支点となる部分である底壁１８の両端部の縁部の高さと、側壁１６及び側壁１７の底壁１８側領域での縁部の高さは同じであり、側壁上部領域１６Ａ及び側壁上部領域１７Ａでの縁部の高さは低くなるように高さを異ならせて形成されている。また、側壁上部領域１６Ａ及び側壁上部領域１７Ａでの縁部の高さと上壁１９での縁部の高さは同様である。プロジェクタ１５０を本体ケース１０の第１の収納部１１に収納した場合、側壁上部領域１６Ａ、側壁上部領域１７Ａ及び上壁１９での縁部において、プロジェクタ１５０が露出する位置関係になるように縁部の高さを設定している。ユーザーは、プロジェクタ１５０を取出す場合、プロジェクタ１５０を露出させた縁部から手を入れて、プロジェクタ１５０を把持し取出す。
なお、上記縁部の高さに合わせて蓋ケース３０側の蓋側壁３７，３８及び蓋上壁３９の縁部が形成されている。
【００３３】
本体ケース１０の上壁１９の補強板が内設される部分には手提げ用の持手７０がビス及び縫合により設置されている。本体ケース１０の側壁１６，１７には肩掛け用の肩掛けベルト８０の両端がそれぞれ縫合され設置されている。肩掛けベルト８０は、肩用パッド８２や調整金具８１を備えており、この調整金具８１を調整することにより肩掛けベルト８０の長さを調整する。
【００３４】
図４は、キャリングケースに収納物を収納したときの、概略断面図である。図４を用いて、収納した場合の説明を行う。
【００３５】
蓋ケース３０に備えた第３の収納部３１，３２に付属品１２０を固定ベルト３４によりガタツキなくそれぞれ収納固定し、第４の収納部３３に取扱説明書１３０を固定ベルト３５によりガタツキなく収納固定する。また、本体ケース１０の第１の収納部１１にプロジェクタ１５０を収納し、第２の収納部１２にケーブル類１１０を収納する。そして、本体ケース１０に対して蓋ケース３０をファスナー５０により閉塞する。
【００３６】
それにより、第１の収納部１１に収納されるプロジェクタ１５０は、対向する位置に配設された第４の収納部３３に収納される取扱説明書１３０とで相互に押圧し合う。同様にして、第２の収納部１２に収納されるケーブル類１１０は、対向する位置に配設された第３の収納部３１，３２に収納される付属品１２０とで相互に押圧し合う。同様にして、第１の収納部１１に収納されるプロジェクタ１５０及び第２の収納部１２に収納されるケーブル類１１０は仕切部材１３を介して相互に押圧し合う。
【００３７】
図５は、本発明の実施形態に係る梱包方法を説明する図である。図５を用いて梱包方法を説明する。
【００３８】
図５に示すように、本発明の実施形態に係る梱包方法は、段ボール製の専用梱包箱２００の底面側に段ボール製の下当て板２１０を配置する。その後、被梱包物であるプロジェクタ１５０、ケーブル類１１０、付属品１２０、取扱説明書１３０を収納し、閉塞したキャリングケース１００を配置する。その後、キャリングケース１００の上面に段ボール製の上当て板２２０を配置する。当該配置の後、専用梱包箱２００の蓋を閉じるという方法である。この梱包方法により梱包物２５０が完成する。
【００３９】
ここで、キャリングケース１００に収納する被梱包物の梱包方法を説明する。
被梱包物のプロジェクタ１５０は、ポリエチレン製の内外二重の包装袋により包装されて、第１の収納部１１に収納される。被梱包物のケーブル類１１０である電源ケーブル、コンピュータケーブル、オーディオアダプタ及びＵＳＢマウスケーブルは、それぞれ包装袋で包装され、第２の収納部１２に収納される。被梱包物のリモコンや無線ＬＡＮカードなどの付属品１２０は、それぞれ包装袋で包装され、第３の収納部３１，３２にそれぞれ収納され、固定ベルト３４により固定される。被梱包物の取扱説明書１３０は、その他付属されるソフトウェアを記録したメディアや各種シートなどと共に包装袋で包装され、第４の収納部３３に収納され、固定ベルト３５により固定される。全ての被梱包物を収納した後で、キャリングケース１００に備えたファスナー５０を閉塞する。また、肩掛けベルト８０は、最短の長さに調整しておく。そして、そのキャリングケース１００を包装袋で包装して下当て板２１０の上面に配置する。
【００４０】
上述した、実施形態によれば以下の効果が得られる。
（１）本実施形態のキャリングケース１００は、第１の収納部１１に収納されるプロジェクタ１５０と、対向する位置に配設された第４の収納部３３に収納される取扱説明書１３０とで相互に押圧し合うことができる。また、第２の収納部１２に収納されるケーブル類１１０と、対向する位置に配設された第３の収納部３１，３２に収納される付属品１２０とで相互に押圧し合うことができる。また、第１の収納部１１に収納されるプロジェクタ１５０及び第２の収納部１２に収納されるケーブル類１１０は仕切部材１３を介してお互いが押圧し合うことができる。このように、収納物が相互に押圧し合うことにより、それぞれの収納物のガタツキがなくなる。また、ケーブル類１１０と取扱説明書１３０と仕切部材１３と本体ケース１０と蓋ケース３０とが緩衝部材としての作用を行う。そのため、キャリングケース１００の落下や振動に対する衝撃を緩和することができ、耐衝撃性及び耐震動性が向上する。それにより、ユーザーは、プロジェクタ１５０や付属品１２０を安全に持ち運ぶことができる。
【００４１】
（２）本実施形態のキャリングケース１００は、本体面１５を基準面として縁部の高さを比較した場合、開閉する支点となる部分である底壁１８の両端部の縁部の高さに対して、側壁上部領域１６Ａ、側壁上部領域１７Ａ及び上壁１９での縁部の高さを低くするように形成されている。そして、プロジェクタ１５０を本体ケース１０の第１の収納部１１に収納した場合、側壁上部領域１６Ａ、側壁上部領域１７Ａ及び上壁１９での縁部において、プロジェクタ１５０を露出する位置関係になるように縁部の高さを設定している。そのため、ユーザーは、プロジェクタ１５０を取出す場合、プロジェクタ１５０を露出させた縁部から手を入れてプロジェクタ１５０を把持できるため、容易に電子機器を取出せる。
【００４２】
（３）本実施形態のキャリングケース１００は、本体ケース１０に第１の収納部１１及び第２の収納部１２を構成し、これらの収納部の対抗する蓋ケース３０の位置に第４の収納部３３及び第３の収納部３１，３２を配設している。そのため、従来のキャリングケース３００のように別々の収納部３１０，３２０からそれぞれのファスナー３１１，３２１を開いて必要な収納物を取出すのに比べて、本実施形態のキャリングケース１００は、ファスナー５０を開き本体ケース１０と蓋ケース３０とを開放することで、必要な収納物を一度に取出すことができる。それにより、プロジェクタ１５０のセッティングなどを効率的に行える。
【００４３】
（４）本実施形態のキャリングケース１００は、第１の収納部１１での本体面１５の表面に、プロジェクタ１５０を収納するための情報であるプロジェクタ１５０を構成する投写レンズの方向を示す収納指示表示６０をシルク印刷により白色で表示している。ユーザーは、この収納指示表示６０を確認して、その指示に従いプロジェクタ１５０を第１の収納部１１に適正に収納することができる。これにより、プロジェクタ１５０に対する耐衝撃性を更に向上することができる。
【００４４】
（５）本実施形態の梱包物２５０は、キャリングケース１００が備える各収納部１１，１２，３１，３２，３３に被梱包物であるプロジェクタ１５０、ケーブル１１０、付属品１２０及び取扱説明書１３０をそれぞれ収納したキャリングケース１００と専用梱包箱２００とで構成される。このような梱包物２５０によれば、緩衝部材として従来必要であった段ボール材料等からなる収納箱、及び、発砲樹脂材料やパルプモールド材料や段ボール材料等からなる成形された緩衝作用を持つ梱包部材を用いる必要がなくなる。よって、梱包物がコンパクトになり、梱包物の輸送コストを削減することができる。
【００４５】
（６）本実施形態の梱包方法は、キャリングケース１００が備える各収納部１１，１２，３１，３２，３３に被梱包物であるプロジェクタ１５０、ケーブル１１０、付属品１２０及び取扱説明書１３０をそれぞれ収納し、キャリングケース１００本体を閉塞した後にキャリングケース１００を専用梱包箱２００に収納して専用梱包箱２００の蓋を閉じる。このような梱包方法によれば、緩衝部材として従来必要であった段ボール材料からなる収納箱、及び、発砲樹脂材料やパルプモールド材料や段ボール材料からなる成形された緩衝作用を持つ梱包部材を組み込む必要がなくなる。よって、梱包部材の大幅な削減が行えるため、梱包作業性の向上と梱包コストの削減が可能となる。
【００４６】
（７）本実施形態の梱包物及び梱包方法によれば、梱包物がコンパクトになり、車など輸送手段に対する燃料などのエネルギー削減の効果もある。また、梱包部材を大幅に低減することができるため、リサイクルさせる梱包部材も低減することができる。よって、本実施形態の梱包物及び梱包方法を実施することにより、環境保護及び環境保全に寄与することができる。
【００４７】
なお、本発明は、上述した実施形態に限定されず、上述した実施形態に種々の変更や改良など加えることが可能である。変形例を以下に述べる。
【００４８】
（変形例１）前記実施形態において、キャリングケース１００は、本体ケース１０に第１の収容部１１及び第２の収容部１２を備え、蓋ケース３０に第３の収容部３１，３２及び第４の収容部３３を備えている。しかし、これに限らず、本体ケース１０に更に収納部を備えても良いし、蓋ケース３０にも更に収納部を備えても良い。この場合、本体ケース１０と蓋ケース３０を閉塞したときに、それぞれ対抗する収納物が相互に押圧し合うように配置することが必要である。
【００４９】
（変形例２）前記実施形態において、第１の収納部１１での本体面１５の表面には、プロジェクタ１５０を収納するための情報であるプロジェクタ１５０を構成する投写レンズの方向を示す収納指示表示６０が、シルク印刷により白色で表示されている。しかしこれに限らず、本体面１５の表面に各収納部に収納する収納物の名称などを表示しても良い。また、各収納部の表面にそれぞれ収納する収納物の名称などを表示しても良い。また、表示方法はシルク印刷でなくても情報を記述したシール部材を貼り付けても良い。これにより、ユーザーは、表示を確認して、各収納物を適性にそれぞれの収納部に収納することができる。
【００５０】
（変形例３）前記実施形態において、本体ケース１０に構成する第１の収納部１１及び第２の収納部１２の位置は、プロジェクタ１５０を構成する部品の中で重要な投写レンズ部の耐衝撃性及び耐振動性を向上させるために、投写レンズ部側に第２の収納部１２を配置している。よって、各種プロジェクタを収納する場合には、その投写レンズ部の位置を考慮して、投写レンズ部側に第２の収納部を配置することにより更に耐衝撃性及び耐振動性を向上させるキャリングケースが実現できる。
【００５１】
（変形例４）前記実施形態において、キャリングケース１００に収納する電子機器として、プロジェクタ１５０を用いている。また、このプロジェクタ１５０は、透過型液晶方式のプロジェクタである。しかし、これに限らず、ＤＬＰ（登録商標）（Digital Light Processing）方式、および、反射型液晶方式であるＬＣＯＳ（Liquid Crystal On Silicon）方式などを採用したプロジェクタであっても良い。
【００５２】
（変形例５）前記実施形態において、キャリングケース１００に収納する電子機器として、プロジェクタ１５０を用いている。しかし、これに限らず、小型のパーソナルコンピュータ、小型のファクシミリ装置、小型のビデオカメラなどの電子機器を用いても良い。これにより収納する電子機器の選択の自由度が広がる。
【図面の簡単な説明】
【００５３】
【図１】本発明の実施形態に係るキャリングケースの概略斜視図。
【図２】キャリングケースを開いた内面側の概略斜視図。
【図３】キャリングケースの収納部に収納物を収納した図。
【図４】キャリングケースの収納部に収納物を収納したときの概略断面図。
【図５】本発明の実施形態に係る梱包方法の説明図。
【図６】従来のキャリングケースの概略斜視図。
【図７】従来の梱包方法の説明図。
【符号の説明】
【００５４】
１０…本体ケース、１１…第１の収納部、１２…第２の収納部、１３…仕切部材、１５…本体面、１６…側壁、１６Ａ…側壁上部領域、１７…側壁、１７Ａ…側壁上部領域、１８…底壁、１９…上壁、３０…蓋ケース、３１…第３の収納部、３１Ａ…面ファスナー、３２…第３の収納部、３３…第４の収納部、３３Ａ…面ファスナー、３４…固定ベルト、３４Ａ…面ファスナー、３５…各固定ベルト、３５Ａ…面ファスナー、３６…蓋面、３７…蓋側壁、３８…蓋側壁、３９…蓋上壁、５０…ファスナー、５５…ヒンジ部、６０…収納指示表示、７０…持手、８０…肩掛けベルト、８１…調整金具、１００…キャリングケース、１１０…ケーブル類、１２０…付属品、１３０…取扱説明書、１５０…プロジェクタ、２００…専用梱包箱、２１０…下当て板、２２０…上当て板、２５０…梱包物。
【図１】
2006055552.tif 000003
【図２】
2006055552.tif 000004
【図３】
2006055552.tif 000005
【図４】
2006055552.tif 000006
【図５】
2006055552.tif 000007
【図６】
2006055552.tif 000008
【図７】
2006055552.tif 000009